(57)【特許請求の範囲】
【請求項１】
目地部側の一方の躯体にヒンジ部材を介して回動可能に取付けられた固定側支持バーと、この固定側支持バーと対向する部位の他方の躯体にヒンジ部材を介して回動可能に取付けられた固定側目地プレートと、この固定側目地プレートの遊端部側の後方寄りの部位に一端部が枢支され、他端部が前記固定側支持バーに枢支された、伸縮しても常時等間隔部位に複数個の枢支部を有する少なくとも２個以上の伸縮リンクと、この少なくとも２個以上の伸縮リンクの複数個の枢支部に並列するように枢支された複数個の可動支持バーと、この複数個の可動支持バーに両端部が取付けられた、該可動支持バー間の伸縮を収納することができるようにたるませて配置されたカバーシートと、前記複数個の可動支持バーにクランク状の後端部が常時該可動支持バー方向に付勢状態で取付けられ、先端部が前記固定側目地プレートや隣り合う部材にスライド移動可能に重なり支持される複数個の目地カバー部材とからなることを特徴とする目地カバー装置。
【発明の詳細な説明】
【技術分野】
【０００１】
本発明は目地部を介した壁面間や天井間を覆う目地カバー装置に関する。
【背景技術】
【０００２】
従来のこの種の目地カバー装置は、目地部を目地部の幅寸法の２倍の目地カバーで覆うものが使用されている。
【０００３】
しかし、このような目地カバー装置は一方側に目地部の幅寸法の２倍の目地カバーがスライド移動するスペースが必要となり、このようなスペースが確保できないと設置することができないという欠点があるとともに、目地カバーが大型となり、コスト高になるという欠点があった。
【特許文献１】特許第３１３９９８８号公報
【発明の開示】
【発明が解決しようとする課題】
【０００４】
本発明は以上のような従来の欠点に鑑み、左右の躯体間に異なる前後左右方向の揺れ動きを吸収することができ、かつ目地部に隙間が生じることなく覆うことができる目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部側の一方の躯体にヒンジ部材を介して回動可能に取付けられた固定側支持バーと、この固定側支持バーと対向する部位の他方の躯体にヒンジ部材を介して回動可能に取付けられた固定側目地プレートと、この固定側目地プレートの遊端部側の後方寄りの部位に一端部が枢支され、他端部が前記固定側支持バーに枢支された、伸縮しても常時等間隔部位に複数個の枢支部を有する少なくとも２個以上の伸縮リンクと、この少なくとも２個以上の伸縮リンクの複数個の枢支部に並列するように枢支された複数個の可動支持バーと、この複数個の可動支持バーに両端部が取付けられた、該可動支持バー間の伸縮を収納することができるようにたるませて配置されたカバーシートと、前記複数個の可動支持バーにクランク状の後端部が常時該可動支持バー方向に付勢状態で取付けられ、先端部が前記固定側目地プレートや隣り合う部材にスライド移動可能に重なり支持される複数個の目地カバー部材とで目地カバー装置を構成している。
【発明の効果】
【０００７】
以上の説明から明らかなように、本発明にあっては次に列挙する効果が得られる。
【０００８】
（１）目地部側の一方の躯体にヒンジ部材を介して回動可能に取付けられた固定側支持バーと、この固定側支持バーと対向する部位の他方の躯体にヒンジ部材を介して回動可能に取付けられた固定側目地プレートと、この固定側目地プレートの遊端部側の後方寄りの部位に一端部が枢支され、他端部が前記固定側支持バーに枢支された、伸縮しても常時等間隔部位に複数個の枢支部を有する少なくとも２個以上の伸縮リンクと、この少なくとも２個以上の伸縮リンクの複数個の枢支部に並列するように枢支された複数個の可動支持バーと、この複数個の可動支持バーに両端部が取付けられた、該可動支持バー間の伸縮を収納することができるようにたるませて配置されたカバーシートと、前記複数個の可動支持バーにクランク状の後端部が常時該可動支持バー方向に付勢状態で取付けられ、先端部が前記固定側目地プレートや隣り合う部材にスライド移動可能に重なり支持される複数個の目地カバー部材とで構成されているので、一方の躯体と他方の躯体とが地震等で異なる前後左右方向に揺れ動いても、固定側支持バー、固定側目地プレートの回動および伸縮リンクの伸縮により、複数個の可動支持バーおよび複数個の目地カバー部材のスライド移動によって、その揺れを吸収することができる。
したがって、目地部を確実に覆うことができる。
【０００９】
（２）前記（１）によって、目地部間に設置することができる。
したがって、従来のように目地部のほぼ２倍の目地カバーを用いるものと比べ、小型、コンパクト化を図ることができる。
【００１０】
（３）前記（１）によって、複数個の目地カバー部材を常時可動支持バー方向に付勢状態で取付けられているので、複数個の目地カバー部材は常時密着した状態で重ね合った状態を保つことができる。
したがって、複数個の目地カバー部材間に隙間が生じることなく、確実にカバーすることができるとともに、表面がほぼ平坦状態となるので、他のカバー部材との間に大きな隙間が生じるのを効率よく防止でき、安全に使用することができる。
【００１１】
【発明を実施するための最良の形態】
【００１２】
以下、図面に示す本発明を実施するための最良の形態により、本発明を詳細に説明する。
【００１３】
図１ないし図７に示す本発明を実施するための最良の第１の形態において、１は本発明の外壁面２、２間を覆う目地カバー装置で、この目地カバー装置１は目地部３側の一方の躯体４の外壁面２にヒンジ部材５を介して水平方向に回動可能に取付けられた固定側支持バー６と、この固定側支持バー６と対向する部位の他方の躯体７の外壁面２にヒンジ部材８を介して水平方向に回動可能に取付けられた長方形状のフレーム９の前面をカバー板１０で覆った固定側目地プレート１１と、この固定側目地プレート１１の遊端部側の後方寄りの部位に一端が枢支ピン１２で枢支され、他端部が前記固定側支持バー６に枢支ピン１３で枢支された、伸縮しても常時等間隔部位に複数個の枢支部１４、１４、１４、１４、１４を有する少なくとも２個以上のパンタグラフ形状の伸縮リンク１５、１５と、この少なくとも２個以上の伸縮リンク１５、１５の複数個の枢支部１４、１４、１４、１４に並列するように枢支ピン１６、１６で枢支された複数個の可動支持バー１７、１７、１７、１７および前記固定側支持バー６の枢支ピン１３、１３で枢支された可動支持バー１７と、この複数個の可動支持バー１７、１７、１７、１７、１７にクランク状の後端部が常時該可動支持バー１７、１７、１７、１７方向に付勢状態となるようにスプリング１８を介してビス１９で取付けられ、先端部が前記固定側目地プレート１１のほぼ中央部や、隣り合う部材のほぼ中央部に位置し、スライド移動可能に重なり支持される複数個の目地カバー部材２０、２０、２０、２０、２０と、前記複数個の可動支持バー１７、１７、１７、１７、１７に両端部が取付けられた合成樹脂シートやゴムシート等のカバーシート２１、２１、２１、２１と、前記固定側支持バー６側の目地カバー部材２０の後端部と前記一方の躯体４との間をシール剤２２を介して覆うように可動支持バー１７に取付けられた端部カバー２３とで構成されている。
【００１４】
なお、２４は前記目地カバー装置１の上部を覆うように取付けられた笠木装置で、この笠木装置２４のカバー板２５の内壁面と目地カバー装置１の複数個の目地カバー部材２０、２０、２０、２０、２０の外側面とは当接した状態で設置されている。
また、本発明を実施する形態では複数個の目地カバー部材２０、２０、２０、２０、２０をスプリング１８を介してビス１９で可動支持バー１７、１７、１７、１７、１７に取付けるものについて説明したが，本発明はこれに限らず、目地カバー部材２０、２０、２０、２０、２０を順次、該目地カバー部材の板厚分だけ高い寸法にすることにより、可動支持バー１７、１７、１７、１７、１７に直接ビス１９で固定しても目地カバー部材２０、２０、２０、２０、２０の重なり合う部位がスムーズにスライド移動させることができる。
【００１５】
上記構成の目地カバー装置１は地震等で一方の躯体４と他方の躯体７が異なる前後左右方向に揺れ動いた場合には、図５、図６、図７に示すように固定側支持バー６、固定側目地プレート１１の回動により、異なる前後方向の揺れ動きを吸収し、伸縮リンク１５、１５の伸縮により複数個の可動支持バー１７、１７、１７、１７、１７および複数個の目地カバー部材２０、２０、２０、２０、２０のスライド移動によって、その揺れ動きを吸収することができる。
[発明を実施するための異なる形態]
【００１６】
次に、図８ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図８ないし図１０に示す本発明を実施するための第２の形態において、前記本発明を実施するための最良の第１の形態と主に異なる点は、四角枠状のリンク本体２６と、このリンク本体２６の対向するリンク２６ａ、２６ａに所定間隔で両端部を枢支ピン２７、２７で枢支した枢支リンク２８、２８、２８、２８と、前記リンク本体２６の対向する枢支部２９、２９を結ぶ線状の、前記枢支リンク２８、２８、２８、２８に形成された枢支部１４、１４、１４、１４を形成した伸縮リンク１５Ａ、１５Ａを用いた点で、このように形成された伸縮リンク１５Ａ、１５Ａを用いて構成した目地カバー装置１Ａにしても、前記本発明を実施するための最良の第１の形態と同様な作用効果が得られる。
【００１８】
図１１ないし図１３に示す本発明を実施するための第３の形態において、前記本発明を実施するための最良の第１の形態と主に異なる点は、伸縮リンク１５と枢支リンク２８を１個用いたリンク本体２６、２６を２個接続した伸縮リンク１５Ｂとを用いるとともに、板状の固定側目地プレート１１Ａを用いた点で、このように構成した目地カバー装置１Ｂにしても、前記本発明を実施するための最良の第１の形態と同様な作用効果が得られる。
【００１９】
図１４ないし図１６に示す本発明を実施するための第４の形態において、前記本発明を実施するための最良の第１の形態と主に異なる点は、固定側支持バー６を目地部側の一方の天井躯体４Ａに垂直方向に回動可能に取付けるとともに、固定側目地プレート１１を目地部側の他方の天井躯体７Ａに垂直方向に回動可能に取付けた点で、このように構成した天井部を覆う目地カバー装置１Ｃにしても、前記本発明を実施するための最良の第１の形態と同様な作用効果が得られる。
なお、前記本発明を実施するための第２、第３の形態も、本発明を実施するための第４の形態と同様に、天井部を覆う目地カバー装置として使用することができる。
【産業上の利用可能性】
【００２０】
本発明は目地カバー装置を製造する産業で利用される。
【図面の簡単な説明】
【００２１】
【図１】本発明を実施するための最良の第１の形態の正面図。
【図２】本発明を実施するための最良の第１の形態の背面図。
【図３】図１の３−３線に沿う拡大断面図。
【図４】本発明を実施するための最良の第１の形態の目地カバー部材を外した状態の要部正面図。
【図５】本発明を実施するための最良の第１の形態の目地部が広くなった動作説明図。
【図６】本発明を実施するための最良の第１の形態の目地部が狭くなった動作説明図。
【図７】本発明を実施するための最良の第１の形態の異なる前後方向の動作説明図。
【図８】本発明を実施するための第２の形態の正面図。
【図９】本発明を実施するための第２の形態の背面図。
【図１０】図８の１０−１０線に沿う拡大断面図。
【図１１】本発明を実施するための第３の形態の正面図。
【図１２】本発明を実施するための第３の形態の背面図。
【図１３】図１１の１３−１３線に拡大断面図。
【図１４】本発明を実施するための第４の形態の取付け状態の説明図。
【図１５】本発明を実施するための第４の形態の室内側から見た図。
【図１６】本発明を実施するための第４の形態の室外側から見た図。
【符号の説明】
【００２２】
１、１Ａ、１Ｂ、１Ｃ：目地カバー装置、
２：外壁面、                  ３：目地部、
４、４Ａ：一方の躯体、        ５：ヒンジ部材、
６：固定側支持バー、          ７、７Ａ：他方の躯体、
８：ヒンジ部材、              ９：フレーム、
１０：カバー板、              １１、１１Ａ：固定側目地プレート、
１２：枢支ピン、              １３：枢支ピン、
１４：枢支部、                １５、１５Ａ、１５Ｂ：伸縮リンク、
１６：枢支ピン、              １７：可動支持バー、
１８：スプリング、            １９：ビス、
２０：目地カバー部材、        ２１：カバーシート、
２２：シール剤、              ２３：端部カバー、
２４：笠木装置、              ２５：カバー板、
２６：リンク本体、            ２７：枢支ピン、
２８：枢支リンク、            ２９：枢支部。
【図１】
0005132084.tif 000002
【図２】
0005132084.tif 000003
【図３】
0005132084.tif 000004
【図４】
0005132084.tif 000005
【図５】
0005132084.tif 000006
【図６】
0005132084.tif 000007
【図７】
0005132084.tif 000008
【図８】
0005132084.tif 000009
【図９】
0005132084.tif 000010
【図１０】
0005132084.tif 000011
【図１１】
0005132084.tif 000012
【図１２】
0005132084.tif 000013
【図１３】
0005132084.tif 000014
【図１４】
0005132084.tif 000015
【図１５】
0005132084.tif 000016
【図１６】
0005132084.tif 000017